(57)【要約】      （修正有）【課題】  ボトルの首部等に掛止したときに袋本体が掛止部とともに反り上がって袋体全体が湾曲するようなことがなく、また袋本体が掛止部から垂れ下がった状態となることがなく、特に袋本体に収納されている被収納物を、湾曲や変形等を生じさせることなく正面側から真っ直ぐな状態で現出させることができる掛止用袋体を提供する。【解決手段】  被収納物を収納する収納部２を具備した袋本体に、被掛止物に掛止可能な掛止部３が連設されて構成された掛止用袋体において、袋本体は、収納部２内に収納される被収納物が存在しない部分において折り曲げ可能であるとともに、その折り曲げられた状態を維持するための折曲状態維持手段が具備され、且つ掛止部３が被掛止物に掛止された状態において、収納部２内に被収納物が収納されて折り曲げられた袋本体の少なくとも一端側が、袋本体と掛止部３との連設部分よりも上部に位置するように構成した。【選択図】  図８
2006232287.tif 000002
【特許請求の範囲】
【請求項１】
被収納物を収納する収納部（２）を具備した袋本体（１）に、被掛止物に掛止可能な掛止部（３）が連設されて構成された掛止用袋体において、前記袋本体（１）は、前記収納部（２）内に収納される被収納物が存在しない部分において折り曲げ可能であるとともに、その折り曲げられた状態を維持するための折曲状態維持手段が具備され、且つ前記掛止部（３）が前記被掛止物に掛止された状態において、前記収納部（２）内に被収納物が収納されて折り曲げられた袋本体（１）の少なくとも一端側が、前記袋本体（１）と掛止部（３）との連設部分よりも上部に位置するように構成されていることを特徴とする掛止用袋体。
【請求項２】
掛止部（３）が被掛止物に掛止された状態において、袋本体（１）が掛止部（３）に対して略Ｔ字状に交差した状態となるように、該袋本体（１）と掛止部（３）とが構成されている請求項１記載の掛止用袋体。
【請求項３】
袋本体（１）が折り曲げられた状態を維持するための折曲状態維持手段が、折り曲げられた袋本体（１）の対面する位置を接着するための接着剤である請求項１又は２記載の掛止用袋体。
【請求項４】
袋本体（１）と掛止部（３）との連設部分が、区画シール部（７）である請求項１乃至３のいずれかに記載の掛止用袋体。
【請求項５】
袋本体（１）が、収納部（２）と、該収納部（２）から延長されて該収納部（２）と掛止部（３）との間に設けられた延長部（５）とで構成されている請求項１乃至４のいずれかに記載の掛止用袋体。
【請求項６】
袋本体（１）が、収納部（２）と、該収納部（２）から延長されて該収納部（２）と掛止部（３）との間に設けられた延長部（５）と、該延長部（５）とは前記掛止部（３）を隔てて反対側に形成された接着片（１０）とで構成され、袋本体（１）を折り曲げた際に、前記接着片（１０）が前記収納部（２）に接着されるように構成されている請求項１乃至４のいずれかに記載の掛止用袋体。
【請求項７】
袋本体（１）を折り曲げた際に、収納部（２）と延長部（５）とが接着可能となるように構成されている請求項５又は６記載の掛止用袋体。
【発明の詳細な説明】
【技術分野】
【０００１】
本発明は掛止用袋体、さらに詳しくは、飲料等を収容するボトルの首部に掛止されるボトルネッカーと称される袋体、その他の被掛止物に掛止される掛止用袋体に関する。
【背景技術】
【０００２】
従来、被掛止物に掛止される掛止用袋体としては種々のものが開発されている。たとえばボトルの首部に掛止されるボトルネッカーと称される袋体も、このような掛止用袋体の１つである。このようなボトルネッカー等の掛止用袋体に共通する構造は、ボトルの首部に掛止する掛止部と、収納物を収納する袋本体とで構成されていることであり、たとえば下記特許文献１及び２のような特許出願が従来存在する。
【０００３】
【特許文献１】特開平９−８６５４３号公報
【特許文献２】特開２００１−３１５８０３号公報
【０００４】
特許文献１や特許文献２に記載された袋体は、掛止部に掛止用の孔を形成し、その掛止用孔をボトルの首部に挿入して使用されるものである。もともと袋体の構造としては、掛止部と袋本体とが一直線状に形成されているので、掛止用孔をボトルの首部に挿入して袋体をボトルに装着した場合、掛止部が横向きになるので、それに伴って袋本体が反り上がり、或いは掛止部から袋本体が垂れ下がった状態となり、その結果袋体の全体が湾曲し、外観体裁が損なわれることとなる。
【０００５】
この特許文献１や特許文献２に開示されたような袋体は、もともとシャンプー等を収容するボトルに装着され、袋体には詰め替え用の液剤を収容して陳列することを主眼として開発されたものが多い。そして、このような袋体は、ボトルに掛止されて店頭等に陳列された状態で、内容物である液剤を外観上透視されるようにして展示効果を発揮するものではないので、袋体の全体が湾曲して外観体裁が損なわれる状態になるのもある程度はやむを得ないという認識が一般消費者にもあり、また袋本体は液剤の重量によってボトルと略平行になるように垂れ下がるので、外観体裁を極端に損なっているという認識もされていないとうのが実情である。
【０００６】
しかし、近年では、ペットボトル等の飲料用ボトルに掛止する袋体であって、景品やサンプル等の小物物品を袋部に収容した袋体も市販されている。このような袋体では、被収納物を透視させた状態でボトルに掛止されて店頭等に陳列されるので、その被収納物がどのようなものであるかによって、景品やサンプル等の付加価値の高まりに著しい差異が生ずる場合もあり、本来の商品であるボトル内の収容物の消費者に対する購買意欲を左右することにもなる場合がある。
従って、このような被収納物を収納する袋体の場合には、上述のように袋本体が反り上がり、或いは掛止部から袋本体が垂れ下がる等により袋体の全体が湾曲して外観体裁が損なわれることは、被収納物の展示効果にも大きく影響し、ひいては商品であるボトル内の収容物の購買意欲、売れ行きにも影響を及ぼす場合がある。
たとえば下記特許文献３に開示された袋体は、この種のサンプル包装体として出願されているもので、掛止部において宣伝広告を表示する部分が反りたった状態となり、その掛止部に表示されている文字等のラベル表示により、一応の宣伝広告効果は発揮している。しかし、掛止部に対して袋本体が垂れ下がる等により袋体の全体が湾曲するという問題は解消されていない。むしろ掛止部の上部が反り立っていることで袋体の全体は波をうつような状態となって外観体裁を著しく損なうこととなっており、袋本体内に収容される被収納物の展示効果は著しく損なわれている。
【０００７】
【特許文献３】特許第３２６８２７０号公報
【０００８】
また、下記特許文献４や特許文献５に開示された袋体は、掛止部に切欠を形成し、切り欠き後の孔をボトルの首部等に挿入するとともに、切り欠き後に残存している切欠片（タグ片）がボトルのキャップ部に当接するように構成されており、切欠片（タグ片）がボトルのキャップ部に当接することで、掛止部を袋部に対して少し折れ曲がった状態とし、袋体全体が湾曲状態となるのがある程度抑制されている。
【０００９】
【特許文献４】特開２００１−５８６４２号公報
【特許文献５】特開２００４−３４７９６５号公報
【００１０】
しかし、特許文献４や特許文献５は、もともと外観体裁の維持を目的として出願されたものではないので、上述のように切欠片（タグ片）がボトルのキャップ部に当接する反作用の力を利用して袋本体の反り上がりを抑制しているにすぎず、袋体全体が湾曲状態となることや、袋本体が掛止部から垂れ下がった状態となるのを防止するには至っていない。従って、外観体裁が損なわれるのを根本的に解決するものではなく、袋本体内に収容される被収納物の展示効果が良好であるとは決していえないものである。
【発明の開示】
【発明が解決しようとする課題】
【００１１】
本発明は、このような問題点を解決するためになされたもので、ボトルの首部等に掛止したときに袋本体が掛止部とともに反り上がって袋体全体が湾曲するようなことがなく、また袋本体が掛止部から垂れ下がった状態となることがなく、外観体裁が良好な状態で装着することができ、特に袋本体に収納されている被収納物を、湾曲や変形等を生じさせることなく正面側から真っ直ぐな状態で現出させることができ、その被収納物の展示効果を従来に比べて著しく向上させることができる掛止用袋体を提供することを課題とする。
【課題を解決するための手段】
【００１２】
本発明は、このような課題を解決するためになされたもので、請求項１記載の発明は、
被収納物を収納する収納部２を具備した袋本体１に、被掛止物に掛止可能な掛止部３が連設されて構成された掛止用袋体において、前記袋本体１は、前記収納部２内に収納される被収納物が存在しない部分において折り曲げ可能であるとともに、その折り曲げられた状態を維持するための折曲状態維持手段が具備され、且つ前記掛止部３が前記被掛止物に掛止された状態において、前記収納部２内に被収納物が収納されて折り曲げられた袋本体１の少なくとも一端側が、前記袋本体１と掛止部３との連設部分よりも上部に位置するように構成されていることを特徴とする。
【００１３】
また請求項２記載の発明は、請求項１記載の掛止用袋体において、掛止部３が被掛止物に掛止される際に、袋本体１が掛止部３に対して略Ｔ字状に交差した状態となるように、該袋本体１と掛止部３とが構成されていることを特徴とする。さらに請求項３記載の発明は、請求項１又は２記載の掛止用袋体において、袋本体１が折り曲げられた状態を維持するための折曲状態維持手段が、折り曲げられた袋本体１の対面する位置を接着するための接着剤であることを特徴とする。さらに請求項４記載の発明は、請求項１乃至３のいずれかに記載の掛止用袋体において、袋本体１と掛止部３との連設部分が、区画シール部７であることを特徴とする。
【００１４】
さらに請求項５記載の発明は、請求項１乃至４のいずれかに記載の掛止用袋体において、袋本体１が、収納部２と、該収納部２から延長されて該収納部２と掛止部３との間に設けられた延長部５とで構成されていることを特徴とする。さらに請求項６記載の発明は、請求項１乃至４のいずれかに記載の掛止用袋体において、袋本体１が、収納部２と、該収納部２から延長されて該収納部２と掛止部３との間に設けられた延長部５と、該延長部５とは前記掛止部３を隔てて反対側に形成された接着片１０とで構成され、袋本体１を折り曲げた際に、前記接着片１０が前記収納部２に接着されるように構成されていることを特徴とする。さらに請求項７記載の発明は、請求項５又は６記載の掛止用袋体において、袋本体１を折り曲げた際に、収納部２と延長部５とが接着可能となるように構成されていることを特徴とする。
【発明の効果】
【００１５】
上述のように、本発明は、袋本体が、収納部内に収納される被収納物が存在しない部分において折り曲げ可能であるとともに、その折り曲げられた状態を維持するための折曲状態維持手段が具備され、且つ掛止部が前記被掛止物に掛止された状態において、収納部内に被収納物が収納されて折り曲げられた袋本体の少なくとも一端側が、袋本体と掛止部との連設部分よりも上部に位置するように構成されているものであるため、掛止部を被掛止物に掛止させるべく横向きにした状態においても、袋本体は、それに伴って湾曲するようなことがなく、或いは掛止部から垂れ下がるようなことがなく、その結果、従来に比べて掛止される袋体の外観体裁が著しく良好となり、特に袋本体に収納されている被収納物を、湾曲や変形等を生じさせることなく正面側から真っ直ぐな状態で現出させることができ、その被収納物の展示効果を従来に比べて著しく向上させることができるという効果がある。
【００１６】
特に、掛止部が被掛止物に掛止される際に、袋本体が掛止部に対して略Ｔ字状に交差した状態となるように、袋本体と掛止部とが構成されている場合には、袋本体に収納されている被収納物を正面側から真っ直ぐな状態で現出させることがより確実になされ、被収納物の展示効果が一層良好になる。
【００１７】
さらに、袋本体が、収納部と、該収納部から延長されて該収納部と掛止部との間に設けられた延長部とで構成されている場合には、被収納物は収納部のみに収納され、延長部の
存在によって、被収納物が収納された収納部と掛止部とが離間した状態となるので、袋本体の反り上がりをより確実に防止することができるという効果がある。
【００１８】
さらに、袋本体が、収納部、延長部のみならず、該延長部とは掛止部を隔てて反対側に形成された接着片を具備して構成されている場合には、袋本体を折り曲げた際に、接着片を収納部に接着することで、上記のような略Ｔ字状に交差した状態となるように維持することが容易になる効果がある。
【００１９】
この場合、接着片を収納部に接着するとともに、収納部と延長部とを接着するように構成した場合には、掛止部の両側２箇所に袋本体の接着部分が存在することになるので、掛止部に対して袋本体を交差した状態となるように維持することが一層確実になされるという効果がある。
【発明を実施するための最良の形態】
【００２０】
以下、本発明の実施形態について図面に従って説明する。
【００２１】
（実施形態１）
本実施形態の掛止用袋体は、図１乃至図３に示すように、被収納物を収納する収納部２を備えた袋本体１と、ボトル等の被掛止物に掛止可能な掛止部３と構成されている。袋本体１は全体が透明な合成樹脂製フィルムからなり、上部に開口部４を有する上記のような収納部２と、該収納部２を構成するフィルムからなる一片２ａ及び他片２ｂのうち、一片２ａを上部に延長して構成される延長部５とで構成されている。
【００２２】
延長部５を構成しているフィルムはさらに上部に延長され且つ頂部６で下向きに折り曲げられて所定位置でフィルム相互間が熱シールされることによって区画シール部７が形成され、区画シール部７の上部におけるフィルム間に合成紙からなる補強片８が封入されて、区画シール部７より上部の全体が掛止部３として形成されている。この掛止部３の略中央には円形の掛止用孔９が穿設されている。
【００２３】
また前記掛止部３を構成しているフィルムは、前記区画シール部７から下方に延長されて、
後述するように掛止部３を収納部２側に折り曲げる際に、収納部２側に接着される接着片１０として形成されている。そして、この接着片１０を接着するための接着剤１３が、前記収納部２の他片２ｂの中央よりわずかに下側に設けられ、その接着剤１３の外側に離型材１４が設けられている。また前記接着片１０が存在する位置と略対面する延長片５の位置にも、
接着剤１１を介して離型材１２が設けられている。この接着剤１１は、前述のように掛止部３を収納部２側に折り曲げる際に、収納部２の他片２ｂの上部に接着されることとなる。
【００２４】
そして、このような構成からなる掛止用袋を使用する場合には、先ず図４に示すように、接着片１０を持ち上げて延長部５から離型材１２を剥離するとともに、収納部２から離型材１４を剥離する。これによって、同図に示すように、接着剤１１、１３が裸出された状態となる。
【００２５】
次に、図５に示すように収納部２内に被収納物１５を収納し、その後に図６に示すように、掛止部３を収納部２側に折り曲げ、接着剤１３を介して接着片１０を収納部２の他片２ｂ側に接着し、さらに接着剤１１を介して延長部５の所定位置を収納部２の他片２ｂ側に接着する。
【００２６】
この状態で、折り曲げられていた掛止部３を、図７に示すように持ち上げると、収納部２、延長部５、及び掛止部３の全体が略Ｔ字状の状態となる。すなわち延長部５が下向きに折り曲げられて接着剤１１を介して収納部２に接着され、該延長部５とは掛止部３を隔てて反対側に位置する接着片１０が、展開された状態で接着剤１３を介して収納部２に接着されているので、掛止部３を持ち上げる際、その掛止部３は、延長部５と接着片１０との間に位置する区画シール部７を中心として図７の矢印方向に回動するが、延長部５及び
収納部２からなる袋本体１の全体は、その掛止部３を回動することによって何ら湾曲等により変形することがなく、袋本体１の全体がほぼ直線状に維持されていることとなる。
【００２７】
従って、この状態で、図８に示すように掛止部３の掛止用孔９を、被掛止物であるボトル１６の首部１７に挿入したとき、収納部２或いは袋本体１の全体は、従来のように掛止部３から垂れ下がって湾曲したような状態となることがなく、同図に示すように略Ｔ字状の状態が維持されるので、袋体の外観体裁を損なうことがない。
この結果、掛止部３をボトル１６の首部１７に掛止した状態においても、収納部２内に収納された被収納物１５は、正面側から真っ直ぐな状態で現出させることができ、被収納物１５の展示効果を非常に良好なものとすることができ。ひいては商品であるボトル１６内の飲料等の消費者に対する購買意欲を高めることにもなる。
【００２８】
（実施形態２）
本実施形態では、図９に示すように袋本体１における上部側の接着剤１１及び離型材１２が、収納部２の上部に設けられており、この点で、延長部５側に接着剤１１及び離型材１２が設けられていた実施形態１の場合と相違する。この接着剤１１及び離型材１２が設けられている位置を除けば、袋体としての構成は上記実施形態１の場合と共通するため、その説明は省略する。
【００２９】
本実施形態においては、実施形態１とは異なり、接着片１０を持ち上げずに２箇所の離型材１２、１４を剥離して接着剤１１、１３を裸出させることができるが、収納部２内に被収納物１５を収納した後に、掛止部３を収納部２側に折り曲げ、接着剤１３を介して接着片１０を収納部２の他片２ｂ側に接着し、接着剤１１を介して延長部５の所定位置を収納部２の他片２ｂ側に接着する点は、実施形態と同じである。
【００３０】
すなわち、本実施形態と上記実施形態１とは、接着剤１１が延長部５側に設けられているか収納部２側に設けられているかで相違するだけであり、掛止部３を収納部２側に折り曲げて２箇所の接着剤１１、１３を介して袋本体１における２箇所の位置を接着させた状態は、実施形態１と同様に図６に示すような状態となり、従って、その後に掛止部３を持ち上げてボトル１６の首部１７に掛止した状態も、図７及び図８に示すように実施形態１と同じになる。
【００３１】
（実施形態３）
本実施形態では、図１０に示すように区画シール部７の下方にフィルムが延長されておらず、従って上記実施形態１、２のような接着片１０が本実施形態の掛止用袋体には存在しない。２箇所の接着剤１１、１３が収納部２の上下に設けられている点は実施形態２と共通しているが、本実施形態では上部側の接着剤１１は、より開口部４に近い収納部２の上部側に設けられ、下部側の接着剤１３は、より収納部２の底部に近い側に設けられている。
【００３２】
図１１に示すように、離型材１２、１４が剥離された後に収納部２内に被収納物１５が収納される点は実施形態１及び２と同じであるが、本実施形態では、図１２に示すように
収納部２が延長片５側に折り曲げられて、接着剤１１、１３介して収納部２と延長片５とが接着される。従って、この点で、掛止部３が収納部２側に折り曲げられていた実施形態１、２の場合と相違している。この相違から、本実施形態では、袋本体１の全体における延長片５の長さの比率が、実施形態１、２の場合に比べて長く形成されている。
【００３３】
本実施形態では、接着剤１１、１３を介して袋本体１の２箇所が接着された後に、掛止部３を、図１３に示すように延長片５を隔てて収納部２が存在している側と反対側に折り曲げる。この場合、図１３では図示していないが、区画シール部７の直下に折曲線を形成することによって、折り曲げをより容易に行なうことができる。
そして、そのような状態で、図１４に示すように掛止部３の掛止用孔９を、被掛止物であるボトル１６の首部１７に挿入することで、袋体はボトル１６の首部１７に掛止されることになる。
【００３４】
この場合において、掛止部３は、２箇所の接着剤１１、１３を介して延長片５に接着されている収納部２とは、該延長片５を隔てて反対側に折り曲げているので、掛止部３と、袋本体１を構成する延長片５や収納部２とは、一体となって湾曲するようなことがなく、
掛止部３をボトル１６の首部１７に掛止した状態において、袋本体１の全体が掛止部３から垂れ下がって湾曲したような状態となることがない。
【００３５】
特に、袋本体１の一端側である底部が、袋本体１と掛止部３との連設部分である区画シール部７よりも上部に位置するため、上記実施形態１、２のように袋体の全体が略Ｔ字状とまではいかないまでも、袋本体１は掛止部３に対して交差する状態に維持され、収納部２内に収納された被収納物は、湾曲せずに略真っ直ぐな状態に維持され、外観体裁を損なうことがないのである。
【００３６】
（実施形態４）
本実施形態では、図１５に示すように、接着材１１及び離型材１２が収納部２の１箇所にのみ設けられ、この点で収納部の２箇所に設けられていた上記実施形態２や実施形態３の場合と相違している。袋体の構成自体は、実施形態２や実施形態３と共通しているので、その説明は省略する。
【００３７】
離型材１２が剥離された後に、図１６に示すように被収納物１５が収納部２内に収納される点は、上記実施形態１乃至３と共通している。
本実施形態においては、図１７に示すように掛止部３が収納部２側に折り曲げられ、この点で上記実施形態１、２と共通する。
さらに本実施形態では、図１８に示すように掛止部３を持ち上げ、図１９に示すように
掛止部３の掛止用孔９をボトル１６の首部１７に挿入する。これによって袋体はボトル１６の首部１７に掛止された状態となる。
【００３８】
この場合において、本実施形態では、１箇所の接着剤１１のみによって延長部５と収納部２とが接着され、実施形態１や２のように展開された接着片１０をも用いて２箇所で接着されているわけではないので、該実施形態１、２に比べると、掛止部３と袋本体１とが略Ｔ字状に交差した状態が安定して維持されているわけでは必ずしもない。
【００３９】
しかしながら、本実施形態においても、掛止部３を袋本体１側に折り曲げる際における延長部５における折曲部１９、すなわち袋本体１の一端側が、図１８及び図１９に示すように、袋本体１と掛止部３との連設部分である区画シール部７よりも上方に位置しているため、掛止部３をボトル１６の首部１７に掛止させた状態においては、同図に示すように、袋体の全体が略Ｔ字状の状態となり、少なくとも袋本体１の全体が掛止部３から垂れ下がって湾曲したような状態となることはない。
【００４０】
従って、本実施形態においても、ボトル１６の首部１７に掛止された状態で、袋本体１は掛止部３に対して交差する状態に維持され、収納部２内に収納された被収納物は、湾曲せずに略真っ直ぐな状態に維持され、外観体裁を損なうことがないのである。
【００４１】
（実施形態５）
本実施形態では、図２０に示すように、袋本体１を構成する収納部２の下部に収納用の開口部４が形成されており、この点で収納部２の上部に開口部４が形成されていた実施形態１乃至４の場合と相違する。本実施形態では、その下部の開口部４から収納部２の一片２ａが他片２ｂよりも下方に延長されて封緘片１８が形成されている。
【００４２】
本実施形態では、収納部２の他片２ｂ側の略中央に接着剤１１を介して離型材１２が設けられ、さらに前記封緘片１８に接着剤１３を介して離型材１４が設けられている。
本実施形態においては、先ず図２１に示すように被収納物１５が収納部２内に収納された後に、離型材１４を剥離して接着剤１３を介して封緘片１８を収納部２の他片２ｂ側に接着し、次に、上部側の離型材１２を剥離し、図２２のように掛止部３を収納部２側に折り曲げ、その折り曲げられた収納部２を構成するフィルム相互間を、接着剤を介して接着する。
【００４３】
さらに、図２３に示すように掛止部３を持ち上げ、その状態で図２４に示すように掛止部３の掛止用孔９をボトル１６の首部１７に挿入する。これによって袋体はボトル１６の首部１７に掛止された状態となる。
【００４４】
本実施形態では、袋本体１の２箇所に接着剤１１、１３が設けられ、この点で上記実施形態１乃至３と共通するが、本実施形態においては、下方の接着剤１３は封緘片１８を収納部２側に接着して収納部２を封緘するための接着剤であり、実施形態１や２のように展開された接着片１０をも用いて２箇所で接着されているわけではなく、接着剤１３自体が袋体を略Ｔ字状に安定した状態に維持することに寄与しているわけではない。
【００４５】
しかし、本実施形態においても、掛止部３を袋本体１側に折り曲げる際における折曲部１９、すなわち袋本体１の一端側が、図２３及び図２４に示すように、袋本体１と掛止部３との連設部分である区画シール部７よりも上方に位置しているため、掛止部３を持ち上げてボトル１６の首部１７に掛止させた状態においては、同図に示すように、袋体の全体が略Ｔ字状の状態となり、少なくとも袋本体１の全体が掛止部３から垂れ下がって湾曲したような状態となることはないのである。
【００４６】
（その他の実施形態）
尚、上記実施形態１乃至４では、開口部４が収納部２の上部に形成された袋本体１を用い、実施形態５では開口部４が収納部２の下部に形成された袋本体１を用いたが、袋本体１の形態はいずれのものを用いることも可能であり、またこれらに限定されるものではない。
【００４７】
また、該実施形態では、掛止用孔９が円形に形成されていたが、掛止用孔９の形状も該実施形態に限定されるものではない。さらに、上記実施形態では、掛止用孔９は１個のみ形成あれていたが、２個形成されていてもよい。この場合には、２本のボトルの首部にその２個の掛止用孔９をそれぞれ挿入することで、１つの掛止用袋体を２本のボトルに装着することができるという効果がある。
【００４８】
さらに掛止部３をボトルの首部等に掛止させる手段も該実施形態のような掛止用孔９に限定されるものではなく、孔以外の掛止手段を採用することも可能である。たとえば図２５に掛止部３の上部に接着剤２１を介して離型材２２を設け、これをボトルの首部等に掛止させる手段としてもよい。この場合には、離型材２２を剥離した後、図２６に示すように、その接着剤２１を介して被掛止物２３に接着することによって、袋体を被掛止物２３に装着することができる。
この場合においても、掛止部３と袋本体１の全体が同図に示すように略Ｔ字状の状態となり、収納部２内に収納された被収納物１５は、正面側から真っ直ぐな状態で現出させることができ、被収納物１５の展示効果を非常に良好なものとすることができる。
【００４９】
さらに、掛止部３内に具備されている補強片８の種類としては、該実施形態の合成紙以外に、たとえば厚手の紙に合成樹脂をコーティングしたものであってもよい。さらに、このような補強片８を設けることで、掛止部３に対して袋本体２が湾曲した状態となるのを好適に防止することができるという好ましい効果が得られるが、このような補強片８を設けることは本発明に必須の条件ではなく、掛止部３を構成するフィルムを単に折り曲げるだけで、そのフィルム間は空間の状態にしておくことも可能である。
【００５０】
さらに、上記実施形態では、袋体をボトルの首部に掛止し、いわゆるボトルネッカーとして使用する場合について説明したが、本発明の用途はボトルネッカーに限定されるものではない。すなわち上記図２５、２６のように、接着剤２１を介して掛止部３を被掛止物に接着して掛止させることができるので、ボトルのように首部が存在しない被掛止物にも掛止させることができる。この場合の被掛止物としては、たとえばカップラーメンの容器のようなものが想定できる。また飲食物以外の商品を被掛止物とすることも可能であり、さらには、商品以外のもの、たとえば陳列棚のようなものを被掛止物とし、上記接着剤２１を介して掛止部３を接着する等によって、袋体を陳列棚に掛止することもできる。この場合においても、被収納物を正面側から真っ直ぐな状態で現出させることができるので、被収納物の展示効果が良好であることは上記ボトルネッカーの場合と同様である。従って、この場合には、表示用のラベル等を被収納物とすることで、陳列棚の複数の箇所に所定の表示を行なうことができる。
【図面の簡単な説明】
【００５１】
【図１】一実施形態としての掛止用袋体の正面図。
【図２】同背面図。
【図３】図１のＡ−Ａ線断面図。
【図４】離型材を剥離した状態の断面図。
【図５】被収納物を収納部内に収納した状態の断面図。
【図６】掛止部を折り曲げた状態の断面図。
【図７】掛止部を持ち上げた状態の断面図。
【図８】掛止部をボトルの首部に装着した状態の断面図。
【図９】他実施形態の掛止用袋体の断面図。
【図１０】他実施形態の掛止用袋体の断面図。
【図１１】被収納物を収納部内に収納した状態の断面図。
【図１２】収納部を延長部側に折り曲げた状態の断面図。
【図１３】掛止部を横向きに折り曲げた状態の断面図。
【図１４】掛止部をボトルの首部に装着した状態の断面図。
【図１５】他実施形態の掛止用袋体の断面図。
【図１６】被収納物を収納部内に収納した状態の断面図。
【図１７】掛止部を折り曲げた状態の断面図。
【図１８】掛止部を持ち上げた状態の断面図。
【図１９】掛止部をボトルの首部に装着した状態の断面図。
【図２０】他実施形態の掛止用袋体の断面図。
【図２１】被収納物を収納部内に収納した状態の断面図。
【図２２】掛止部を折り曲げた状態の断面図。
【図２３】掛止部を持ち上げた状態の断面図。
【図２４】掛止部をボトルの首部に装着した状態の断面図。
【図２５】他実施形態の掛止用袋体の断面図。
【図２６】掛止部を被掛止物に装着した状態の断面図。
【符号の説明】
【００５２】
１…袋本体              ２…収納部
３…掛止部              ５…延長片
１０…接着片            １１、１３…接着剤
【図１】
2006232287.tif 000003
【図２】
2006232287.tif 000004
【図３】
2006232287.tif 000005
【図４】
2006232287.tif 000006
【図５】
2006232287.tif 000007
【図６】
2006232287.tif 000008
【図７】
2006232287.tif 000009
【図８】
2006232287.tif 000010
【図９】
2006232287.tif 000011
【図１０】
2006232287.tif 000012
【図１１】
2006232287.tif 000013
【図１２】
2006232287.tif 000014
【図１３】
2006232287.tif 000015
【図１４】
2006232287.tif 000016
【図１５】
2006232287.tif 000017
【図１６】
2006232287.tif 000018
【図１７】
2006232287.tif 000019
【図１８】
2006232287.tif 000020
【図１９】
2006232287.tif 000021
【図２０】
2006232287.tif 000022
【図２１】
2006232287.tif 000023
【図２２】
2006232287.tif 000024
【図２３】
2006232287.tif 000025
【図２４】
2006232287.tif 000026
【図２５】
2006232287.tif 000027
【図２６】
2006232287.tif 000028